(57)【要約】【課題】操作部の押ボタンスイッチからなる押ボタンスイッチの押し操作力が加わっても押ボタンスイッチを実装している回路基板が受ける応力を小さくできる構造を備えた制御盤を提供することにある。【課題】回路基板１６の押ボタンスイッチＳ１…の配置部位の近傍と金属製背板１４との間に支え用スペーサー２３を介在させている。これにより押ボタンスイッチＳ１…の押し操作時に、回路基板１６の受ける応力を支え用スペーサー２３で低減でき、そのため回路基板１６の反りが少なくなって、半田付け部位にかかる力も小さくなり、半田の剥がれの恐れが無くなる。【選択図】図１
2005025391.tif 000002
【特許請求の範囲】
【請求項１】
前面が開口した函状の制御盤本体と、前面部を操作表示面とし、該前面部を制御盤本体の前面開口側となるように制御盤本体内に配設される盤内ケースとを備え、該盤内ケースの前面部の裏面に間隔を開けて金属製背板を並行配設するとともに、押ボタンスイッチ及び表示用の発光素子からなる表示操作部を一面に実装した回路基板を、前記実装面が前記前面部の裏面に対向するように前記前面部と前記金属製背板との間に間隔を開けて並行配設し、前記回路基板の押ボタンスイッチの配置部位の近傍と前記金属製背板との間に支え用スペーサーを介在させ、前記押ボタンスイッチの押ボタンを前記前面部に形成した窓孔から前記盤内ケース外に臨ましていることを特徴とする制御盤。
【請求項２】
誘導灯等の防災照明装置にネットワークを介して接続し、防災照明装置との間で情報の授受を行う通信部と、防災照明装置に関する情報を表示する表示用発光素子と押ボタンスイッチとからなる表示操作部と、前記通信部を介して取得した情報に基づいて防災照明装置の状態を前記発光素子により表示させる制御や前記押ボタンスイッチの操作信号を取り込んで前記通信部を介して防災照明装置へ命令情報を送信させる処理を行う演算処理部と、電源部とを制御盤本体内に内蔵して防災照明監視用制御盤を構成し、
前記表示操作部の発光素子と押ボタンスイッチとを前記回路基板に実装して前記盤内ケースの前面部に設けた窓孔から前記発光素子と前記押ボタンスイッチの押ボタンを盤内ケース外に臨ませ、前記制御盤本体の前面側には開閉自在に蓋体を設けるとともに、前記盤内ケースの前面部の窓孔から臨む押ボタンスイッチの押ボタン中通常時に必要とする押ボタンスイッチの押ボタンのみを外部に臨ませる開口窓を前記蓋体に設けていることを特徴とする請求項１記載の制御盤。
【請求項３】
誘導灯等の防災照明装置をネットワーク誘導灯等の防災照明装置にネットワークを介して接続し、防災照明装置との間で情報の授受を行う通信部と、防災照明装置に関する情報を表示する表示用発光素子と押ボタンスイッチとからなる表示操作部と、前記通信部を介して取得した情報に基づいて防災照明装置の状態を前記発光素子により表示させる制御や前記押ボタンスイッチの操作信号を取り込んで前記通信部を介して防災照明装置へ命令情報を送信させる処理を行う演算処理部と、電源部とを制御盤本体内に内蔵して防災照明監視用制御盤を構成し、
前記演算処理部が押ボタンスイッチの押し操作開始から操作信号を取り込むまでの経過時間を、通常使用の押ボタンスイッチでは短く、非通常使用の押ボタンスイッチでは長くなるように設定していることを特徴とする請求項１記載の制御盤。
【発明の詳細な説明】
【０００１】
【発明の属する技術分野】
本発明は防災照明監視用制御盤等の制御盤に関するものである。
【０００２】
【従来の技術】
制御盤本体の前面開口に蓋体を開閉自在に設けるとともに、該蓋体に表示操作部の押ボタンスイッチや表示用の発光素子を外部に臨ませる開口窓を設けた制御盤が従来提供されている（特許文献１参照）。
【０００３】
【特許文献１】
実開平６−３１３１０号公報（図４）
【０００４】
【発明が解決しようとする課題】
ところで、上記従来例は上記表示操作部などの構成素子を実装した回路基板は内器を構成する部材の前面部の下方に配設され、押ボタンスイッチの操作部や発光素子の発光部位を前面部より露出する構成であるが、回路基板はその周辺部を内器部材に固定されているため、回路基板の面積が大きい場合、押しボタンスイッチを前面方向から押し操作すると、押し操作力が大きい場合や、押し操作力が長い時間加わる場合、回路基板が受ける応力により反り、そのため素子を回路パターンに接続固定している半田部位に力が加わって半田が剥がれる恐れがあった。
【０００５】
本発明は、上記の点に鑑みて為されたもので、操作部の押ボタンスイッチからなる押ボタンスイッチの押し操作力が加わっても押ボタンスイッチを実装している回路基板が受ける応力を小さくした構造を有する制御盤を提供することにある。
【０００６】
【課題を解決するための手段】
上記目的を達成するために、請求項１の発明では、前面が開口した函状の制御盤本体と、前面部を操作表示面とし、該前面部を制御盤本体の前面開口側となるように制御盤本体内に配設される盤内ケースとを備え、該盤内ケースの前面部の裏面に間隔を開けて金属製背板を並行配設するとともに、押ボタンスイッチ及び表示用の発光素子からなる表示操作部を一面に実装した回路基板を、前記実装面が前記前面部の裏面に対向するように前記前面部と前記金属製背板との間に間隔を開けて並行配設し、前記回路基板の押ボタンスイッチの配置部位の近傍と前記金属製背板との間に支え用スペーサーを介在させ、前記押ボタンスイッチの押ボタンを前記前面部に形成した窓孔から前記盤内ケース外に臨ましていることを特徴とする。
【０００７】
請求項１の発明によれば、表示操作部の押ボタンスイッチの押し操作時に、回路基板の受ける応力を支え用スペーサーで軽減でき、そのため回路基板の反りが少なくなって、半田付け部位にかかる力も小さくなり、その結果半田の剥がれの恐れも無くなり、また制御盤本体内に設けられる回路から発生しても、表示操作部の発光素子の点灯に影響を与える輻射ノイズを金属製背板で遮蔽して影響を軽減できる。
【０００８】
請求項２の発明によれば、請求項１の発明において、誘導灯等の防災照明装置にネットワークを介して接続し、防災照明装置との間で情報の授受を行う通信部と、防災照明装置に関する情報を表示する表示用発光素子と押ボタンスイッチとからなる表示操作部と、前記通信部を介して取得した情報に基づいて防災照明装置の状態を前記発光素子により表示させる制御や前記押ボタンスイッチの操作信号を取り込んで前記通信部を介して防災照明装置へ命令情報を送信させる処理を行う演算処理部と、電源部とを制御盤本体内に内蔵して防災照明監視用制御盤を構成し、前記表示操作部の発光素子と押ボタンスイッチとを前記回路基板に実装して前記盤内ケースの前面部に設けた窓孔から前記発光素子と前記押ボタンスイッチの押ボタンを盤内ケース外に臨ませ、前記制御盤本体の前面側には開閉自在に蓋体を設けるとともに、前記盤内ケースの前面部の窓孔から臨む押ボタンスイッチの押ボタン中、通常時に必要とする押ボタンスイッチの押ボタンのみを外部に臨ませる開口窓を前記蓋体に設けていることを特徴とする。
【０００９】
請求項２の発明によれば、防災照明監視用制御盤において、通常使用の押ボタンスイッチの操作を外部から容易に操作することができ、一方非通常用の押ボタンスイッチの操作を、蓋体を開けることを伴う意図的操作とすることで、不用意に操作されたり、誤操作されるのを防ぐことができる。
【００１０】
請求項３の発明の発明では、請求項１の発明において、誘導灯等の防災照明装置をネットワーク誘導灯等の防災照明装置にネットワークを介して接続し、防災照明装置との間で情報の授受を行う通信部と、防災照明装置に関する情報を表示する表示用発光素子と押ボタンスイッチとからなる表示操作部と、前記通信部を介して取得した情報に基づいて防災照明装置の状態を前記発光素子により表示させる制御や前記押ボタンスイッチの操作信号を取り込んで前記通信部を介して防災照明装置へ命令情報を送信させる処理を行う演算処理部と、電源部とを制御盤本体内に内蔵して防災照明監視用制御盤を構成し、前記演算処理部が押ボタンスイッチの押し操作開始から操作信号を取り込むまでの経過時間を、通常使用の押ボタンスイッチでは短く、非通常使用の押ボタンスイッチでは長くなるように設定していることを特徴とする。
【００１１】
請求項３の発明によれば、防災照明監視用制御盤において、通常使用の押ボタンスイッチは必要とする押し操作時間が短いため意図的な操作が必要なく容易に操作することができ、一方非通常用の押ボタンスイッチは必要とする押し操作時間が長いため意図的操作を要し、そのため不用意に操作されたり、誤操作されるのを防ぐことができる。
【００１２】
【発明の実施の形態】
以下防災照明監視用制御盤を構成する実施形態により本発明を説明する。
【００１３】
（実施形態１）
本実施形態を図１乃至図３により説明する。
【００１４】
まず制御盤本体１は前面開口の函体からなり、前面開口には蓋体２が図１（ａ）に示すように蝶番３により開閉自在に枢支されている。
【００１５】
制御盤本体１の前面開口には中央に角状の開口部４を形成した中枠５が設けられ、この中枠５の開口部４に盤内ケース６の前面部６ａが臨むようになっている。
【００１６】
盤内ケース６は前面部（図１では上面部）６ａが表示操作面となり、この表示操作面６ａを中枠５の開口部４に臨ませた状態で、周囲の支持部６ｂにより取付台７上に支持固定されている。そしてこの盤内ケース６内に臨む前記取付台７上には後述する演算処理部８や通信部９を実装した回路基板１０や電源部１１を実装した回路基板１２が固定用スペーサー１３を介して固定されている。尚回路基板１２は回路基板１１と図１の図示面において面方向に並設されるため図では見えない。
【００１７】
そして回路基板１１，回路基板１２の上方には盤内ケース６の前面部６ａの裏面側と所定間隔で並行するように金属製背板１４が配置され、金属製背板１４と前面部６ａの裏面との間に後述する表示操作部１５の各素子を実装した回路基板１６を配設している。
【００１８】
金属製背板１４は、周辺部を盤内ケース６の前面部６ａの裏面に立設した固定用スペーサー１７に螺子１８により固定されている。
【００１９】
一方回路基板１６は例えば矩形状のもので、金属製背板１４に螺子１９により固定して立設した固定用スペーサー２１に螺子２０により、４隅（或いはそれ以下の箇所）を固定することで金属製背板１４に支持されている。
【００２０】
また回路基板１６に後述する押ボタンスイッチの押し操作力が加わったときに回路基板１６が受ける応力を小さくするために押ボタンスイッチの実装部位近傍の基板裏面と金属製背板１４との間には螺子２２により金属製背板１４に固定された支え用スペーサー２３を介在させている。
【００２１】
ここで支え用スペーサー２３は回路基板１６に対する位置精度が要求されないように、また組み立て作業を削減するために回路基板１６に対しては螺子固定されない構成としている。
【００２２】
次に制御盤本体１内に配設される回路基板について説明する。
【００２３】
本実施形態では、図３に示すように商用電源を直流電源に変換する電源部１１を実装している回路基板１２と、誘導灯等の防災照明装置（図示せず）との間で通信を行う通信部９と信号処理及び制御処理を担うＣＰＵ８ａ及びメモリ８ｂとからなる演算処理部８を実装している回路基板１０と、表示操作部１５を実装している回路基板１６とを夫々構成する３枚のプリント基板を上述のように盤内ケース６内に配設し、回路基板１０，１６間をケーブルで、また回路基板１０と回路基板１２との間を電源線で接続している。
【００２４】
ここで電源部１１は演算処理部８，通信部９，表示操作部１５に直流電源を供給するためのものである。また演算処理部８のＣＰＵ８ａは、防災照明監視用制御盤における信号処理と、制御を担う演算装置であり、メモリ８ｂはフラッシュＲＯＭ、ＳＲＡＭ，ＤＲＡＭ、ＥＥＰＲＯＭなどのメモリ素子からなり、ＣＰＵ８ａの動作プログラムや各種データ格納するためのものである。通信部９はＲＳ４８５，ＲＳ２３２Ｃ等の汎用のシリアル通信部、或いはイーサネット（登録商標）のようなＬＡＮ用通信部からなる。表示操作部５は人が防災照明監視に対応した指令を入力するための押ボタンスイッチや、監視対象の防災照明装置の異常状態を表示する発光素子や、防災照明装置のアドレスを表示するための発光素子からなる表示器等から構成される。
【００２５】
そして演算処理部８のＣＰＵ８ａは、通信部９を介して防災照明装置から状態の情報を取得し、その情報に基づいて表示操作部１５で後述する異常状態を表示したり、防災照明装置のアドレスを表示し、また、表示操作部１５の操作入力に基づいて通信部９を介して防災照明装置へ所定の動作を指令する処理などを行う。
【００２６】
表示操作部１５は上記の表示と操作のためのマンマシンインターフェースを構成し、本実施形態では、表示部として７セグメントの発光ダイオードを用いたアドレス表示用の表示器ＬＤ１〜ＬＤ３と、ランプ異常表示用発光ダイオードＬＥＤ１、防災照明装置に内蔵する電池電源の異常表示用発光ダイオードＬＥＤ２，防災照明装置自体の異常を表示する器具異常表示用発光ダイオードＬＥＤ３，通信異常を表示する発光ダイオードＬＥＤ４、防災照明装置の点検中と点検中断中を表示する発光ダイオードＬＥＤ５ａ，ＬＥＤ５ｂと、アドレス読み込み中を表示する発光ダイオードＬＥＤ６とを表示素子として備え、上記表示基板１２の一面側に夫々を実装している。そして上記の各表示器ＬＤ１〜ＬＤ３及び発光ダイオードＬＥＤ１〜ＬＥＤ９の実装位置は具体的には次の通りである。
【００２７】
まず表示基板１２の上側半分の部位では、表示器ＬＤ１〜ＬＤ３、発光ダイオードＬＥＤ１〜ＬＥＤ４を横一列に配置し、発光ダイオードＬＥＤ４の上方向に発光ダイオードＬＥＤ５ａ、ＬＥＤ５ｂを縦列に配置している。また上記表示器ＬＤ１の下方で表示基板１２の下側半分の面部位にはアドレス読み込み中を表示するための発光ダイオードＬＥＤ６を配置している。
【００２８】
一方操作部としては、表示器ＬＤ１の上方には表示器ＬＤ１の表示数字をアップさせるための押ボタンスイッチＳ１を、下方には表示器ＬＤ１の表示数字をダウンさせるための押ボタンスイッチＳ２を夫々配置し、更に表示器ＬＤ２，ＬＤ３の境界位置の上方には、表示器ＬＤ２，ＬＤ３の表示数字をアップさせるための押ボタンスイッチＳ３を、また表示器ＬＤ２，ＬＤ３の境界位置の下方には、表示器ＬＤ２，ＬＤ３の表示数字をダウンさせるための押ボタンスイッチＳ４を夫々配置している。
【００２９】
また各発光ダイオードＬＥＤ１〜ＬＥＤ４の下方には対応する発光ダイオードＬＥＤ１〜ＬＥＤ４で異常が表示されている防災照明装置のアドレスを確認するための指令を入力する押ボタンスイッチＳ５〜Ｓ８を配置している。
【００３０】
更に発光ダイオードＬＥＤ９の下方位置にはアドレスの読み込みの指令を入力するための押ボタンスイッチＳ９を配置し、更にこの押ボタンスイッチＳ９の横方向で上記押ボタンスイッチＳ４の下方位置にはアドレスを確認するための指令を入力するための押ボタンスイッチＳ１０を、また上記押ボタンスイッチＳ８の下方位置には点検の開始と中断の指令を入力するための押ボタンスイッチＳ１１を夫々配置している。尚ランプ異常表示の発光ダイオードＬＥＤ５の発光色を、監視対象となる誘導灯のような防災照明装置に設けられているランプ異常表示用発光ダイオードの発光色（例えば赤色）と同色とし、また同様に電池異常表示用発光ダイオードＬＥＤ６の発光色を、防災照明装置に設けられている電池異常表示用発光ダイオードの発光色（例えば緑色）と同色とすることで、異常の種類を分かりやすくしている。
【００３１】
そして盤内ケース６は図２（ａ）に示すように前面部（図では上面部）６ａに表示器ＬＤ１乃至ＬＤ３を臨ませる窓孔６０，６１と、発光ダイオードＬＥＤ１乃至ＬＥＤ９を臨ませる各窓孔６２を形成し、これらの発光表示を盤内ケース６の外部から視認できるようにしてある。また各押ボタンスイッチＳ１〜Ｓ１１の押ボタンを前面部６ａ外へ臨ませるための窓孔６３を形成してある。尚図１では図面を簡略化するために一つの押ボタンスイッチ、例えば発光ダイオードＬＥＤ２に対応するＳ７のみを図示している。
【００３２】
ここで図２（ａ）に示すように制御盤本体１の蓋体２を開いている状態では各表示器ＬＤ１〜ＬＤ３，発光ダイオードＬＥＤ１〜ＬＥＤ９の全てが前面部６ａ外から視認でき、また各押ボタンスイッチＳ１〜Ｓ１１の押ボタンの押し操作ができることになる。そして蓋体２を図２（ｂ）に示すように閉じると、蓋体２に設けた開口窓２ａからは回路基板１２の上半分に実装している表示器ＬＤ１〜ＬＤ３，発光ダイオードＬＥＤ１〜ＬＥＤ８のみが視認でき、また押ボタンスイッチＳ１〜Ｓ８の押ボタンのみが露出することになる。
【００３３】
つまり蓋体２を閉じている通常時には、通常時の監視に必要な異常表示用の発光ダイオードＬＥＤ１〜ＬＥＤ４とこれら異常表示用の発光ダイオードＬＥＤ１〜ＬＥＤ４の表示に対応した防災照明装置のアドレスを確認するための指令を入力する押ボタンスイッチＳ５〜Ｓ８の押ボタンと、アドレス表示に必要な表示器ＬＤ１〜ＬＤ３、表示されるアドレスをアップ／ダウンさせる指令を入力する押ボタンスイッチＳ１〜Ｓ４の押ボタンと、点検中と点検中断中を表示させる発光ダイオードＬＥＤ５ａ、ＬＥＤ５ｂが開口窓２ａから視認或いは操作ができるのである。
【００３４】
また保守や管理のために、例えば初期スタート時や増設等の際に接続される防災照明装置のアドレスを登録設定するためのアドレス読み込みの指令を入力する押ボタンスイッチＳ９と、アドレス読み込み中を表示する発光ダイオードＬＥＤ９と、登録されているアドレスを確認するためのアドレス確認の指令を入力する押ボタンスイッチＳ１０と、更に点検／点検中止の指令を操作毎に交互に入力する押ボタンスイッチスイッチＳ１１は蓋体２ａが閉じられると外部からは見えない状態となり、操作が必要なときには蓋体２ａを開けねばならないようにならないようになっている。つまり蓋体２ａを開けて操作するという意識的な操作を要求することで不用意な操作を防ぎ、管理者以外の者の誤操作により登録されているアドレス等の設定が変更されたり、点検動作などが行われないような構成となっている。尚図２（ａ）（ｂ）中、２ｂは蓋体２の開閉のための取っ手である。
【００３５】
而して、通常時においてはＣＰＵ８は通信部９を通じてネットワークに接続されている防災照明装置からの動作情報を収集し、防災照明装置からランプ切れ或いは電池切れの情報を受け取ると、対応する発光ダイオードＬＥＤ１或いはＬＥＤ２を点灯させて異常発生を表示する。また器具異常の情報や通信異常の情報を受け取ると、対応する発光ダイオードＬＥＤ３やＬＥＤ４を点灯させる。
【００３６】
ここで、ユーザーはこの表示からどの防災照明装置が異常を示すのかを知りたい場合、対応する押ボタンスイッチＳ５〜Ｓ６を押し操作すれば、ＣＰＵ８は当該防災照明装置のアドレスを表示器ＬＤ１〜ＬＤ３で３桁のアドレスを数字により表示する制御を行う。この際対応するアドレスが複数あるる場合には押ボタンスイッチＳ１〜Ｓ４を押し操作することで、表示されるアドレスをアップ／ダウンさせることができる。
【００３７】
一方初期スタート時や防災照明装置の増設時には蓋体１２を開いて押ボタンスイッチＳ９を押し操作すれば、ＣＰＵ８ａがこの押し操作によりアドレス読み込み指令を受け取ると、各防災照明装置に対して夫々のアドレス情報を転送させる処理と転送されてきたアドレスをメモリ８ｂに登録処理を行う。このとき読み込み中であることを発光ダイオードＬＥＤ９を点灯させて表示する。また登録処理されているアドレスを確認したい場合には押ボタンスイッチＳ１０を操作すれば良く、この場合ＣＰＵ８ａは登録されているアドレスを表示器ＬＤ１〜ＬＤ３で表示させる制御を行う。この表示のアップダウンは上述の押ボタンスイッチＳ１〜Ｓ４の操作で行う。
【００３８】
またシステムの動作の点検を行う場合には押ボタンスイッチＳ１１を押し操作すれば良く、ＣＰＵ８ａはこの押し操作により点検指令を受け取ると、所定の点検制御を行う。この点検中は発光ダイオードＬＥＤ５ａを点灯させて表示する。また点検中に中断させたい場合には押ボタンスイッチＳ１１を押し操作すれば、ＣＰＵ８ａはこれを受けて点検処理を中断し、発光ダイオードＬＥＤ５ｂを点灯させて表示する。
【００３９】
ところで、押ボタンスイッチＳ１〜Ｓ１１の何れかが上述のように押し操作されると、その押圧力が回路基板１６に加わることになるが、押ボタンスイッチＳ１〜Ｓ１１の実装付近には支え用スペーサー２３が金属製背板１４との間に介在するため、回路基板１０が受ける応力を低減し、それにより回路基板１０が大きく反ることが無く、従って素子を回路パターンに接続している半田部位に加わる力も小さくなりの剥がれも起きない。
【００４０】
また金属製背板１４が回路基板１６と、回路基板１０，１１との間に介在することで電源部１１や通信部９から発生する輻射ノイズを遮断し、回路基板１６の表示操作部１５の発光ダイオードＬＥＤ１〜ＬＥＤ９や表示器ＬＥＤ１〜ＬＥＤ３の表示を乱す恐れのあるノイズの影響を軽減している。
（実施形態２）
上記実施形態１では制御盤本体１に対して蓋体２を閉じたときに開口窓２ａから見える押ボタンスイッチと、見えない押ボタンスイッチとを設けているが、本実施形態では、通常時に操作される押ボタンスイッチＳ１〜Ｓ８の操作信号をＣＰＵ８ａが取り込むタイミングを、例えばアドレス表示のアップ／ダウンを操作する際に操作開始からすぐに反応して表示が変わるように、短い時間（１０ｍｓ×５回の一致等）とし、逆に上述の保守管理に必要な押ボタンスイッチＳ９〜Ｓ１１の操作信号をＣＰＵ１０が取り込むタイミングを押し操作してから例えば２ｓというような長い時間経過しければ行わないように設定し、操作者が意識的に押し続けることを要求する構成としている。
【００４１】
従って本実施形態では制御盤本体１に対して蓋体２を閉じたときに開口窓２ａから見える押ボタンスイッチと、見えない押ボタンスイッチとを分ける必要が無く、全て開口窓２ａから露出させることができる。  勿論、実施形態１と同様に制御盤本体１に対して蓋体２を閉じたときに開口窓２ａから見える押ボタンスイッチと、見えない押ボタンスイッチとを分ける構成を併用しても良い。
【００４２】
而して本実施形態の場合、押ボタンスイッチＳ９〜Ｓ１１では長押しが要求され、押し操作中回路基板１６に押圧力が加わるが、支え用スペーサー２３により回路基板１６が受ける応力を軽減することができるため、実施形態１と同様に半田の剥がれ等は生じない。
【００４３】
（実施形態３）
上記実施形態１は、表示操作部１５の表示部は異常表示以外にアドレス表示を行う仕様に対応したものであるが、アドレス表示を行う必要が無い場合もある。
【００４４】
一方通常時には使用せず、操作が容易に行えないように設けたアドレスの読み込みや、確認の押ボタンスイッチＳ９、Ｓ１０、点検開始／中断の押ボタンスイッチＳ１１及びアドレス読み込み中を表示する発光ダイオードＬＥＤ９を設ける仕様は変更されない。
【００４５】
そこで、本実施形態では、仕様の変更がある通常時に使用される押ボタンスイッチと表示用の発光ダイオードや表示器を実装する回路基板から、仕様の変更が無い上記押ボタンスイッチＳ９〜Ｓ１１及び発光ダイオードＬＥＤ９を実装する基板を独立させたものである。
【００４６】
図４は本実施形態の概要を示すものであり、押ボタンスイッチＳ９〜Ｓ１１及び発光ダイオードＬＥＤ９を実装する回路基板１６ａの他に、アドレス表示の表示器ＬＤ１〜ＬＤ３を用いる仕様に対応した回路基板１６ｂと、表示器ＬＤ１〜ＬＤ３を用いない仕様に対応した回路基板１６ｃとを準備し、仕様に応じて選択使用するようになっており、図示例では回路基板１６ｃと回路基板１６ａとを回路基板１０側にフラットケーブル３０ａ、３０ｂを用いて接続した状態を示す。尚回路基板１６ｂ、１６ｃの何れにも点検中／点検中断中を示す発光ダイオードＬＥＤ５ａ、ＬＥＤ５ｂを実装していない。
【００４７】
尚本実施形態の場合には電源部１１を実施している回路基板１２として、上記仕様に応じた電源容量の電源部１１を実装したものが使用される。またＣＰＵ８ａの動作プログラムも仕様に応じた処理動作を行うようになっているものとする。
【００４８】
また示すように通信部１０を複数の通信ドライバ用ＩＣ１００…で構成し、またメモリ８ｂはＲＯＭ８０，ＤＲＡＭ８１、ＳＲＡＭ８２の各メモリ素子で構成している。
【００４９】
而して本実施形態では、マンマシンインターフェースたる表示動作部１５の仕様変更を、一部の回路基板の変更だけで対応できるため、商品化のスピードアップが図れるという利点がある。
【００５０】
【発明の効果】
本発明は、表示操作部の押ボタンスイッチの押し操作時に、回路基板の受ける応力を支え用スペーサーで軽減でき、そのため回路基板の反りが少なくなって、半田付け部位にかかる力も小さくなり、その結果半田の剥がれの恐れも無くなり、また制御盤本体内に設けられる回路から発生しても、表示操作部の発光素子の点灯に影響を与える輻射ノイズを金属製背板で遮蔽して影響を軽減できるという効果がある。
【図面の簡単な説明】
【図１】本実施形態の要部の拡大断面図である。
【図２】（ａ）は同上の制御盤本体の蓋体を開いた状態の正面図である。
（ｂ）は同上の制御盤本体の蓋体を閉じた状態の正面図である。
【図３】同上に用いる回路部と回路基板との関係説明図である。
【図４】本発明の実施形態３の回路基板の構成の概要を示す説明図である。
【符号の説明】
１  制御盤本体
４  開口部
５  中枠
６  盤内ケース
６ａ  前面部
６ｂ  支持部
６０〜６３  窓孔
７  取付台
１１  回路基板
１３  固定用スペーサー
１４  金属製背板
１５  表示操作部
１６  回路基板
１７  固定用スペーサー
１８〜２０  螺子
２１  固定用スペーサー
２２  螺子
２３  支え用スペーサー
ＬＥＤ１…  発光ダイオード
ＬＤ１…    表示器
Ｓ１…  押ボタンスイッチ
【図１】
2005025391.tif 000003
【図２】
2005025391.tif 000004
【図３】
2005025391.tif 000005
【図４】
2005025391.tif 000006